(57)【特許請求の範囲】
【請求項１】
パチンコ・パチスロなどの遊技機の各台にＩＣカード書き込み読み取り機を装備し、各台をコンピュータで制御するようにした遊技機コンピュータ管理システムにおいて、客用ＩＣカードと店用ＩＣカードを設け、客用ＩＣカードがゲーム可能状態にある台のＩＣカード書き込み読み取り機に挿入されると該台の駆動部の駆動をスタートさせ、フィーバー又はボーナスゲームなどの大当りがあったときに通常払い出される出玉又はメダルの数パーセントを記憶装置に記憶し貯蓄する手段と、前記大当りが所定の回数に達すると前記貯蓄分を大放出し且つ大放出した台をゲーム中止状態とする手段と、前記ゲーム中止状態にある台のＩＣカード書き込み読み取り機に店用ＩＣカードが挿入されると該店用ＩＣカードに台番号ごとに大放出回数と出玉又はメダルの放出数及びその日付を記録する手段と、大放出後のゲーム中止状態にある台のＩＣカード書き込み読み取り機に店用ＩＣカードが挿入されると該店用ＩＣカードに記録された最初の大放出日からの経過日数を算出し該経過日数が所定の日数以内であれば台のゲーム中止状態を解除して該台をゲーム再開可能状態とし前記経過日数が所定の日数を経過していると前記台のゲーム中止状態を解除し得ないようにした手段とを備えたことを特徴とする遊技機コンピュータ管理システム。
【発明の詳細な説明】
【０００１】
【発明の属する技術分野】
本発明は、パチンコ・パチスロ遊技機のコンピュータ管理システムに関する。
【０００２】
【従来の技術】
現在のパチンコ・パチスロ遊技機は大当り時に出る出玉又はコインの払い出し数に規定があり、確率方式となっている。
【０００３】
【発明が解決しようとする課題】
従来の確率方式の遊技機では、大当り時の、出玉又はコインの払い出し数は規定されたものであって、ゲーム中に大当りがあっても、予測の範囲内でありこれによって特別の感動を味わうこともない。即ち、競馬の馬券で例えれば、本命が当った程度のことである。しかるに、馬券が大穴に当ったときは、特別の感動を味わうことができることは競馬ファンの誰しもが認めるところである。遊技機によるゲームにおいて、競馬の大穴的中に相当するビックな大当りの感動を味わえれば、此種のゲームの面白さが倍加することは間違いない。本発明の第１の目的は、お客が、店側で準備したＩＣカードを購入し、これを遊技機の各台に設置したＩＣカード専用ボックスに差し込むと、特別にプログラムされたビック大当り大放出ゲームを楽しむことができるようにすることである。このゲームは通常と変わらないが、フィーバー、又はボーナスゲームなどの大当たりがスタートしたときに通常払い出される出玉又はメダルの数パーセントをコンピュータに記憶させ貯蓄しておき、大当り回数が所定の回数に達すると、貯蓄分を大放出するものである。お客は、例えば、この大放出の一部を福祉税などの名目で特別税として店側に即納し、店側は、特別税を代理受領する。本発明の第２の目的は、大放出した台は、中止状態とし、この中止状態は店用ＩＣカードをＩＣカード専用ボックスに差し込まないと、解除し得ないようにすることである。この店用ＩＣカードには有効期限を設けておく。このように構成することで、店側は、お客より徴収した特別税を所轄署に納入しなければ所轄署から新しい店用ＩＣカードを発行してもらえないことになる。従って、特別税の納入が確実に保証されるパチンコ・パチスロ遊技機特別税徴収管理システムを採用することが可能となる。
【０００４】
【課題を解決するための手段】
上記目的を達成するため、本発明は、パチンコ・パチスロなどの遊技機の各台にＩＣカード書き込み読み取り機を装備し、各台をコンピュータで制御するようにした遊技機コンピュータ管理システムにおいて、客用ＩＣカードと店用ＩＣカードを設け、客用ＩＣカードがゲーム可能状態にある台のＩＣカード書き込み読み取り機に挿入されると該台の駆動部の駆動をスタートさせ、フィーバー又はボーナスゲームなどの大当りがあったときに通常払い出される出玉又はメダルの数パーセントを記憶装置に記憶し貯蓄する手段と、前記大当りが所定の回数に達すると前記貯蓄分を大放出し且つ大放出した台をゲーム中止状態とする手段と、前記ゲーム中止状態にある台のＩＣカード書き込み読み取り機に店用ＩＣカードが挿入されると該店用ＩＣカードに台番号ごとに大放出回数と出玉又はメダルの放出数及びその日付を記録する手段と、大放出後のゲーム中止状態にある台のＩＣカード書き込み読み取り機に店用ＩＣカードが挿入されると該店用ＩＣカードに記録された最初の大放出日からの経過日数を算出し該経過日数が所定の日数以内であれば台のゲーム中止状態を解除して該台をゲーム再開可能状態とし前記経過日数が所定の日数を経過していると前記台のゲーム中止状態を解除し得ないようにした手段とを備えたものである。
【０００５】
【発明の実施の形態】
以下に本発明の実施の形態を添付図面を参照して詳細に説明する。
図１において、２はコンピュータの中央処理装置であり、ＲＯＭ４、ＲＡＭ６、１／０ボード８、音源１０、タイマー１２が接続している。１／０ボード８には、ＩＣカード書き込み読み取り機１４、パチスロ機あるいはパチンコ機などの遊技機のマザーボード（本体基板）１６及びランプ１８が接続している。
【０００６】
前記ＲＯＭ４には、ビッグ大当りゲームプログラム及び遊技機管理プログラムが格納されている。前記マザーボード１６には、パチンコ機を例にとると、図２に示すように、モータ２０、スタートスイッチ２２、スピーカー２４、入賞表示ランプ基板２６、入賞表示回数基板２８、液晶テレビ又は回転リール３０、ランプ３２、電源ボックス３４、払い出しセンサー３６、ラインランプ基板３８、入賞センサー４０などが接続し、マザーボード１６は、これら各機器を制御しパチンコ機を駆動するように構成されている。
【０００７】
前記ＩＣカード書き込み読み取り機１４は各遊技機の台ごとに配設されている。前記ＩＣカード書き込み読み取り機１４の挿入口に挿入されるＩＣカードは、客用ＩＣカード４２と店用ＩＣカード４４の２種類のＩＣカードが用意される。これらＩＣカードの発行は例えば所轄の警察署が担当するようにする。この場合店側は、ＩＣカード購入申込書に基づいて、所望数の客用ＩＣカード４２と、２枚の店用ＩＣカード４４を所轄警察署から購入できるようにする。
【０００８】
客用ＩＣカード４２は店内でお客に販売される。店用ＩＣカード４４には予め暗証番号、ビッグ大当りに必要な大当り回数、ビッグ大当りの出玉コイン払い出し数量、営業時間、最初のビッグ大当り日からの使用可能日数などの情報が記録され、この情報に基づいて、ゲーム機側のコンピュータのプログラムを変更することができるように構成されている。客用ＩＣカード４２をＩＣカード書き込み読み取り機１４に挿入すると、ゲーム機側のコンピュータのＲＯＭ４に格納された特別のビッグ大当り大放出ゲームのプログラムをスタートさせることができるように構成されている。
【０００９】
尚、ＩＣカード書き込み読み取り機１４に客用ＩＣカード４２を差し込まない場合は、ＲＯＭ４に格納されたビッグ大当り大放出ゲームのプログラムは作動せず、通常の遊技機として使用することができる。ビッグ大当り大放出ゲームのプログラムはゲーム機に大当りがあったとき、通常払い出される出玉あるいはコインの数パーセントをゲーム機側のコンピュータに記憶、貯蓄し、大当りがある所定回数に達すると、貯蓄分をビッグ大当りとして大放出する。お客が台を選択し、客用ＩＣカード４２をＩＣカード書き込み読み取り機１４に挿入すると、ＣＰＵ２は、プログラムをスタートさせ、図３のフローチャートに示すようにカードが挿入されたことを確認する（ステップ１）。次に、ＣＰＵ２は、カードの暗証番号をチェックし、カードが正規のものであるかどうかチェックする（ステップ２）。
【００１０】
また、ＣＰＵ２は、ゲーム機の基板本体が偽造、改造され、異常電圧、電流が流れていないか等をチェックする（ステップ４）。上記ステップ２，４で異常が認められると、ＣＰＵ２は、ゲーム機をストップさせる（ステップ３）。次に、ＣＰＵ２は、挿入されたＩＣカードが何のカードか判別し、（ステップ５）客用のＩＣカードを確認すると、客用ＩＣカード用処理プログラムに移行する（ステップ６）。ＣＰＵ２は、客用のＩＣカード４２が挿入されたことを確認すると、図４に示すようにゲーム機側の貯蓄大当り回数と客用ＩＣカード４２に記入されている貯蓄大当り回数を加算し、これを合算大当り貯蓄回数として、ＲＡＭ６に記憶し、（ステップ８）、ゲームをスタートさせる（ステップ９）。
【００１１】
図５に示すように、ゲームがスタートすると、大当りを検出するごとに（ステップ１０）、客用ＩＣカード４２の［大当り貯蓄回数］の項に１を加算し（ステップ１１）、且つゲーム機側の、ＲＡＭ６に記憶されている［大当り貯蓄回数］の項に１を加算する（ステップ１２）。更にゲーム機側のＲＡＭ６に記憶されている［コイン、メダル貯蓄数］の項に大当りのときに放出されるコイン、メダル数の例えば１０％を加算する（ステップ１３）。ゲームスタート時のゲーム機側の大当り貯蓄回数と客用ＩＣカード４２の大当り貯蓄回数を合算した合算大当り貯蓄回数が例えば３００回を越えたか、否か判断し（ステップ１４）、肯定を判定するとビック大当り大放出となる（ステップ１５）。このとき、図６に示すように、ランプ１８が点灯し、スピーカー２４から、ビッグ大放出大当りを知らせる音が出る（ステップ１６）。そして、３００回分の大当りのコイン、出玉数の１０％の貯蓄されたコイン、又は玉が全部大放出される（ステップ１７）。次にＣＰＵ２は、ＲＡＭ６に設定されたゲーム機のデータ格納欄に大放出のときのコイン、或は玉の出力数を記録する（ステップ１８）。
【００１２】
次にＣＰＵ２は、客用ＩＣカード４２の大当り貯蓄回数の欄をゼロにリセットする（ステップ１９）とともにゲーム機側のコインあるいは玉の貯蓄数をゼロにリセットする（ステップ２０）。次にＣＰＵ２はゲーム機をストップさせる（ステップ２１）。ゲーム機がストップされると、ＣＰＵ２は、それがビック大当り大放出のストップであるか判断し、肯定を判断すると、ランプ３２のうち青ランプを点灯する。
【００１３】
ゲーム機のストップがビック大当りによるストップでない場合は、ＣＰＵ２は赤ランプを点灯し、スピーカー２４からエラー音を出す。ビック大当りによってゲームがストップされたゲーム機は、店用ＩＣカード４４をＩＣカード書き込み読み取り機１４に挿入することで再開可能状態とすることができる。店用のＩＣカード４４がＩＣカード書き込み読み取り機１４に挿入されると、ＣＰＵ２は、図７に示すように、ゲーム機のストップがビック大当り大放出か否か判断し、（ステップ２２）、肯定を判断すると、店用ＩＣカード４４の情報を読み取る。
【００１４】
店用ＩＣカード４４には、ビック大当り大放出となる大当り回数、ビッグ大当り大放出となる払い出し数量、最初のビック大当り大放出からの使用可能日数等が、所轄の警察署側などで書き込まれている。ＣＰＵ２は、これらの情報に変更があったときは、ＲＡＭに記録されている、上記情報を変更する（ステップ２５）。ステップ２２で否定を判断すると、ＣＰＵ２は、ゲーム機の基板本体が偽造改造され異常電圧、電流が流れていないかどうかをチェックし、チェックした事項を店用ＩＣカード４４に記録するとともに、ゲーム機のストップ状態を保持する（ステップ２３，２４）。
【００１５】
図７のステップ２５で情報の確認が行われた後、ＣＰＵ２は、店用ＩＣカード４４の使用が最初のビッグ大当りか否か判断し、肯定を判断すると、店用ＩＣカード４４に最初のビッグ大当り日時を記録する（ステップ２７）。否定を判断すると、ＣＰＵ２は、店用ＩＣカード４４に記録されている最初のビッグ大当りの日を読み取り、この日から例えば１０日以内であるか否か判断する。店用ＩＣカード４４の所定の有効期限である１０日を経過している場合には、ＣＰＵ２は、ゲーム機のストップ状態を継続する。ステップ２８で肯定を判断すると、店用ＩＣカード４４にゲーム機の台番号、店用ＩＣカード４４を挿入した日付、大当り回数、コイン又は玉出力数を記録する。
【００１６】
次に、ＣＰＵ２は、ゲーム機のストップ状態を解除し、ゲーム再開可能状態とする。上記ビッグ大放出大当りで出たコイン又はパチンコ玉の一部を例えば福祉税などの特別税として店側が客から代理受領する。ビッグ大当りで大放出したゲーム機は上記した如く、中止となり、再スタートするには店用ＩＣカードが必要であるが、この店用ＩＣカードの有効期限は、最初の大放出の日から１０日なので、１０日以内に店用ＩＣカード４４を所轄署で再交付してもらう必要がある。
【００１７】
この店用ＩＣカードには、ゲーム機ごとのビッグ大当り回数と出力コイン又は玉数が記録されているため、所轄署は、これらのデータから特別税を微収する。このとき、旧店用ＩＣカードと引き換えに新しい店用ＩＣカードを店側に交付する。所轄署は旧店用ＩＣカードの情報を書き替えて、旧店用ＩＣカードを使用可能としたものを再交付するようにしても良い。
【００１８】
【発明の効果】
本発明は上述の如く構成したので、パチンコ、パチスロ等の遊技機の面白さを倍加させることができるとともに、特別税などの微収管理システムを採用することが可能となる効果が存する。
【図面の簡単な説明】
【図１】本発明の全体ブロック説明図である。
【図２】パチンコ機のブロック説明図である。
【図３】コンピュータの動作を示すフローチャートである。
【図４】同上フローチャートである。
【図５】同上フローチャートである。
【図６】同上フローチャートである。
【図７】同上フローチャートである。
【符号の説明】
２  中央処理装置
４  ＲＯＭ
６  ＲＡＭ
８  １／０ボード
１０  音源
１２  タイマ
１４  ＩＣカード書き込み読み取り機
１６  マザーボード
１８  ランプ
２０  モータ
２２  スタートスイッチ
２４  スピーカー
２６  入賞表示ランプ基板
２８  入賞表示回数基板
３０  液晶テレビ又は回転リール
３２  ランプ
３４  電源ボックス
３６  払い出しセンサー
３８  ラインランプ基板
４０  入賞センサー
４２  客用ＩＣカード
４４  店用ＩＣカード
【図１】
0003816562.tif 000002
【図２】
0003816562.tif 000003
【図３】
0003816562.tif 000004
【図４】
0003816562.tif 000005
【図５】
0003816562.tif 000006
【図６】
0003816562.tif 000007
【図７】
0003816562.tif 000008